(57)【特許請求の範囲】
【請求項１】
一端側の開口から待受け側の光コネクタが挿入されたコネクタアダプタと、
このコネクタアダプタを保持するアダプタホルダーと、
前記コネクタアダプタの他端側の額縁状端面で囲まれた開口を塞ぐシャッターと、
このシャッターを前記アダプタホルダーにヒンジ結合するヒンジ結合部と、
このヒンジ結合部に組み込まれ、一方の端部がアダプタホルダーに係止され、他方の端部がシャッターに係止されて、前記シャッターを閉じる方向にバネ力を発生する捻りコイルバネとを備え、
前記ヒンジ結合部は、前記シャッター又はアダプタホルダーと一体に形成されたヒンジ軸部と、このヒンジ軸部が形成されてない方のアダプタホルダー又はシャッターに形成された前記ヒンジ軸部を挿入する軸穴と、前記シャッター又はアダプタホルダーと一体に形成された前記捻りコイルバネのコイル部に挿入されるコイル軸部とからなり、
前記シャッターは前記コネクタアダプタの額縁状端面の全周に当接する額縁状当接部を有しており、
前記捻りコイルバネは、そのシャッター側の端部が、シャッターの外面の、前記額縁状当接部より内側の部分を押すように形成されている、
ことを特徴とする光コネクタ防塵用シャッター装置。
【請求項２】
前記軸穴は、その直径が前記ヒンジ軸部の直径より大きく、前記捻りコイルバネによりシャッターを閉じたときに、前記軸穴内の前記ヒンジ軸部の周りにクリアランスが残るように形成されていることを特徴とする請求項１記載の光コネクタ防塵用シャッター装置。
【請求項３】
コネクタアダプタの周壁は周方向に連続しており、当該周壁の内面に、光コネクタの外面のキーを案内するキー溝が形成されていることを特徴とする請求項１又は２記載の光コネクタ防塵用シャッター装置。
【請求項４】
シャッターの内面に、コネクタアダプタの開口内に入る位置決め用凸部が形成されていることを特徴とする請求項１ないし３のいずれかに記載の光コネクタ防塵用シャッター装置。
【請求項５】
アダプタホルダーの端面にリブを形成し、シャッターの内面に前記リブが入る溝を形成したことを特徴とする請求項１ないし４のいずれかに記載の光コネクタ防塵装置。
【請求項６】
アダプタホルダーが、待受け側の光コネクタを収容する筺体と一体に形成されていることを特徴とする請求項１ないし５のいずれかに記載の光コネクタ防塵用シャッター装置。
【請求項７】
一端側の開口から待受け側の光コネクタが挿入されたコネクタアダプタと、
このコネクタアダプタを保持するアダプタホルダーと、
このアダプタホルダーが取り付けられた筺体と、
この筺体に被せられるカバーと、
前記アダプタホルダーの端面と前記カバーの端面とで囲まれる開口を塞ぐシャッターと、
このシャッターを前記アダプタホルダーにヒンジ結合するヒンジ結合部と、
このヒンジ結合部に組み込まれ、一方の端部がアダプタホルダーに係止され、他方の端部がシャッターに係止されて、前記シャッターを閉じる方向にバネ力を発生する捻りコイルバネとを備え、
前記ヒンジ結合部は、前記シャッター、アダプタホルダー又は筺体と一体に形成されたヒンジ軸部と、このヒンジ軸部が形成されてないシャッター、アダプタホルダー又は筺体に形成された前記ヒンジ軸部を挿入する軸穴と、前記シャッター、アダプタホルダー又は筺体と一体に形成された前記捻りコイルバネのコイル部に挿入されるコイル軸部とからなり、
前記シャッターは前記アダプタホルダーの端面と前記カバーの端面とで構成される額縁状端面の全周に当接する額縁状当接部を有しており、
前記捻りコイルバネは、そのシャッター側の端部が、シャッターの外面の、前記額縁状当接部より内側の部分を押すように形成されている、
ことを特徴とする光コネクタ防塵用シャッター装置。
【請求項８】
一端側の開口から待受け側の光コネクタが挿入されたコネクタアダプタと、
このコネクタアダプタを保持するアダプタホルダーと、
このアダプタホルダーが一体に形成された筺体と、
この筺体に被せられるカバーと、
前記アダプタホルダーの端面と前記カバーの端面とで囲まれる開口を塞ぐシャッターと、
このシャッターを前記アダプタホルダーにヒンジ結合するヒンジ結合部と、
このヒンジ結合部に組み込まれ、一方の端部がアダプタホルダーに係止され、他方の端部がシャッターに係止されて、前記シャッターを閉じる方向にバネ力を発生する捻りコイルバネとを備え、
前記ヒンジ結合部は、前記シャッター、アダプタホルダー又は筺体と一体に形成されたヒンジ軸部と、このヒンジ軸部が形成されてないシャッター、アダプタホルダー又は筺体に形成された前記ヒンジ軸部を挿入する軸穴と、前記シャッター、アダプタホルダー又は筺体と一体に形成された前記捻りコイルバネのコイル部に挿入されるコイル軸部とからなり、
前記シャッターは前記アダプタホルダーの端面と前記カバーの端面とで構成される額縁状端面の全周に当接する額縁状当接部を有しており、
前記捻りコイルバネは、そのシャッター側の端部が、シャッターの外面の、前記額縁状当接部より内側の部分を押すように形成されている、
ことを特徴とする光コネクタ防塵用シャッター装置。
【請求項９】
前記軸穴は、その直径が前記ヒンジ軸部の直径より大きく、前記捻りコイルバネによりシャッターを閉じたときに、前記軸穴内の前記ヒンジ軸部の周りにクリアランスが残るように形成されていることを特徴とする請求項７又は８記載の光コネクタ防塵用シャッター装置。
【請求項１０】
コネクタアダプタの筺体のカバー側の壁には、光コネクタの外面のキーを案内する切れ込みが形成されており、この切れ込みは前記筺体のカバーで覆われていることを特徴とする請求項７ないし９のいずれかに記載の光コネクタ防塵用シャッター装置。
【請求項１１】
請求項１ないし９のいずれかに記載の光コネクタ防塵用シャッター装置に使用するコネクタアダプタであって、光コネクタが挿入される空洞の周壁が周方向に連続しており、当該周壁の内面に、光コネクタの外面のキーを案内するキー溝が形成されていることを特徴とするコネクタアダプタ。
【発明の詳細な説明】
【技術分野】
【０００１】
本発明は、相手方光コネクタが接続されるまでの間、待受け状態にある光コネクタの防塵用シャッター装置と、それに好適なコネクタアダプタに関するものである。
【背景技術】
【０００２】
各家庭に光ファイバを引き込む場合には、局側（屋外側）光ケーブルと加入者側（屋内側）光ケーブルとを、ぞれぞれの光ケーブルの端末に取り付けた光コネクタにより切離し可能に接続している。ところが、局側光ファイバが加入者宅まで配線されていても加入者が光回線を使用しない場合や、光回線を使用していた加入者が引っ越してしまった場合には、局側光ケーブルの端末の光コネクタは、相手方光コネクタが接続されるまでの間、待受け状態となる。
【０００３】
待受け状態にある光コネクタは、端面に塵埃が付着するため、相手方光コネクタを接続する際には、端面を清掃する必要がある。しかし光コネクタの端面の清掃作業は、細かい手作業で、神経を使う作業であり、時間もかかる。特に最近ではＦＴＴＨ（光ファイバを家庭まで）の本格化により、加入者数だけでなく、加入者の移動も増加していることから、加入者宅での作業量の低減が求められている。
【０００４】
待受け側光コネクタの端面に塵埃が付着するのを防止できれば、コネクタ端面の清掃作業を簡略化するか、不要にすることができる。そのためには、待受け側光コネクタが挿入されているコネクタアダプタ（又はコネクタハウジング）に防塵用のシャッターを取り付けることが有効である（特許文献１、２参照）。
【０００５】
【特許文献１】特開２００２−２６７８８７号公報
【特許文献２】特開２００２−１４８４８３号公報
【発明の開示】
【発明が解決しようとする課題】
【０００６】
しかし、従来の光コネクタ防塵用シャッター装置は、捻りコイルバネでシャッターの一辺に回転モーメントを加えて、コネクタアダプタの開口を塞ぐ構造であるため、シャッターの回転中心となる軸ピンと、軸ピンを保持する軸穴にクリアランスがあると（クリアランスは組立上必要）、コネクタアダプタの端面とシャッター内面との間に隙間が生じ、この隙間から塵埃が入り込むため、十分な防塵性能が得られないという問題がある。また、軸ピンが金属製の一つの部品であるため、部品点数が多く、コスト低減が困難である。
【０００７】
本発明の目的は、より確実な防塵性能が得られ、しかも部品点数が少ない光コネクタ防塵用シャッター装置と、それに好適なコネクタアダプタを提供することにある。
【課題を解決するための手段】
【０００８】
上記目的を達成するため、本発明に係る光コネクタ防塵用シャッター装置は、
一端側の開口から待受け側の光コネクタが挿入されたコネクタアダプタと、
このコネクタアダプタを保持するアダプタホルダーと、
前記コネクタアダプタの他端側の額縁状端面で囲まれた開口を塞ぐシャッターと、
このシャッターを前記アダプタホルダーにヒンジ結合するヒンジ結合部と、
このヒンジ結合部に組み込まれ、一方の端部がアダプタホルダーに係止され、他方の端部がシャッターに係止されて、前記シャッターを閉じる方向にバネ力を発生する捻りコイルバネとを備え、
前記ヒンジ結合部は、前記シャッター又はアダプタホルダーと一体に形成されたヒンジ軸部と、このヒンジ軸部が形成されてない方のアダプタホルダー又はシャッターに形成された前記ヒンジ軸部を挿入する軸穴と、前記シャッター又はアダプタホルダーと一体に形成された前記捻りコイルバネのコイル部に挿入されるコイル軸部とからなり、
前記シャッターは前記コネクタアダプタの額縁状端面の全周に当接する額縁状当接部を有しており、
前記捻りコイルバネは、そのシャッター側の端部が、シャッターの外面の、前記額縁状当接部より内側の部分を押すように形成されている、
ことを特徴とするものである（請求項１）。
【０００９】
本発明に係る光コネクタ防塵用シャッター装置において、前記軸穴は、その直径が前記ヒンジ軸部の直径より大きく、前記捻りコイルバネによりシャッターを閉じたときに、前記軸穴内の前記ヒンジ軸部の周り（全周）にクリアランスが残るように形成されていることが好ましい（請求項２）。
【００１０】
また、本発明に係る光コネクタ防塵用シャッター装置において、コネクタアダプタの周壁は周方向に連続しており、当該周壁の内面に、光コネクタの外面のキーを案内するキー溝が形成されていることが好ましい（請求項３）。
【００１１】
また、本発明に係る光コネクタ防塵用シャッター装置は、シャッターの内面に、コネクタアダプタの開口内に入る位置決め用凸部が形成されていることが好ましい（請求項４）。
【００１２】
また、本発明に係る光コネクタ防塵用シャッター装置は、アダプタホルダーの端面にリブを形成し、シャッターの内面に前記リブが入る溝を形成したことが好ましい（請求項５）。
【００１３】
また、本発明に係る光コネクタ防塵用シャッター装置は、アダプタホルダーが、待受け側の光コネクタを収容する筺体と一体に形成されている構成とすることもできる（請求項６）。
【００１４】
また、本発明に係る光コネクタ防塵用シャッター装置は、
一端側の開口から待受け側の光コネクタが挿入されたコネクタアダプタと、
このコネクタアダプタを保持するアダプタホルダーと、
このアダプタホルダーが取り付けられた筺体と、
この筺体に被せられるカバーと、
前記アダプタホルダーの端面と前記カバーの端面とで囲まれる開口を塞ぐシャッターと、
このシャッターを前記アダプタホルダーにヒンジ結合するヒンジ結合部と、
このヒンジ結合部に組み込まれ、一方の端部がアダプタホルダーに係止され、他方の端部がシャッターに係止されて、前記シャッターを閉じる方向にバネ力を発生する捻りコイルバネとを備え、
前記ヒンジ結合部は、前記シャッター、アダプタホルダー又は筺体と一体に形成されたヒンジ軸部と、このヒンジ軸部が形成されてないシャッター、アダプタホルダー又は筺体に形成された前記ヒンジ軸部を挿入する軸穴と、前記シャッター、アダプタホルダー又は筺体と一体に形成された前記捻りコイルバネのコイル部に挿入されるコイル軸部とからなり、
前記シャッターは前記アダプタホルダーの端面と前記カバーの端面とで構成される額縁状端面の全周に当接する額縁状当接部を有しており、
前記捻りコイルバネは、そのシャッター側の端部が、シャッターの外面の、前記額縁状当接部より内側の部分を押すように形成されている、
構成とすることもできる（請求項７）。
【００１５】
上記の装置の場合も、アダプタホルダーが筺体と一体に形成されていてもよい（請求項８）。
【００１６】
上記の装置の場合も、前記軸穴は、その直径が前記ヒンジ軸部の直径より大きく、前記捻りコイルバネによりシャッターを閉じたときに、前記軸穴内の前記ヒンジ軸部の周り（全周）にクリアランスが残るように形成されていることが好ましい（請求項９）。
【００１７】
上記の装置の場合は、コネクタアダプタの筺体のカバー側の壁には、光コネクタの外面のキーを案内する切れ込みが形成されており、この切れ込みは前記筺体のカバーで覆われている構成とすることができる（請求項１０）。
【００１８】
本発明に係る光コネクタ防塵用シャッター装置に使用するコネクタアダプタは、光コネクタが挿入される空洞の周壁が周方向に連続しており、当該周壁の内面に、光コネクタの外面のキーを案内するキー溝が形成されているものであることが好ましい（請求項１１）。
【発明の効果】
【００１９】
請求項１、６、７、８の発明によれば、シャッターは、コネクタアダプタの額縁状端面の全周に当接する又はアダプタホルダーの端面と筺体カバーの端面とで構成される額縁状端面の全周に当接する額縁状当接部を有しており、捻りコイルバネは、そのシャッター側の端部がシャッターの外面の、前記額縁状当接部より内側の部分を押すようになっているため、ヒンジ軸部と軸穴にクリアランスがあっても、シャッターの額縁状当接部が、コネクタアダプタの額縁状端面の全周に又はアダプタホルダーの端面と筺体カバーの端面とで構成される額縁状端面の全周に、密接するようになる。このため、シャッターの額縁状当接部と、これに対向する額縁状端面との間に隙間が発生するおそれがなく、確実な防塵性能を得ることができる。
【００２０】
また、ヒンジ軸部、軸穴及びコイル軸部が、シャッター、コネクタアダプタ又は筺体と一体に形成されているため、ヒンジ結合部の軸ピンを省略でき、部品点数が少なくなることから、コストを低減できる。
【００２１】
また請求項２、９の発明によれば、シャッターを閉じたときに、シャッターの額縁状当接部と、それに対向する額縁状端面とがより確実に全周で密接するため、より確実な防塵性能が得られる。また、ヒンジ軸部及び軸穴の寸法公差が大きくとれるので、部品製造、部品組立が容易になり、コストを安くできる。
【００２２】
また請求項３、１１の発明によれば、コネクタアダプタの周壁が周方向に切れ目なく連続しているため、コネクタアダプタの額縁状端面にシャッターの額縁状当接部を当接させるだけで、確実な防塵性能を得ることができる。
【００２３】
また請求項４の発明によれば、軸穴とヒンジ軸部とのクリアランスが大きくても、シャッターを閉じたときにシャッターの位置ズレを矯正できるため、確実な防塵性能を得ることができる。
【００２４】
また請求項５の発明によれば、シャッター内面とアダプタホルダー端面が入り組んだ構造となるため、塵埃がより入りにくくなる。
【００２５】
また請求項１０の発明によれば、周壁の一部に光コネクタの外面のキーを案内する切れ込みが形成されている従来タイプのコネクタアダプタを使用しても、その切れ込みが筺体のカバーで塞がれるため、確実な防塵性能を得ることができる。
【発明を実施するための最良の形態】
【００２６】
＜実施形態１＞  図１〜図６は本発明の一実施形態を示す。図において、１は光ケーブル、３は光ケーブル１の端部に取り付けられた光コネクタ、５は一端側の開口から光コネクタ３が挿入されたコネクタアダプタ、７はコネクタアダプタ５を保持するアダプタホルダー、９はコネクタアダプタ５の他端側の開口を塞ぐシャッター、１１はシャッター９をアダプタホルダー７にヒンジ結合するヒンジ結合部、１３はアダプタホルダー７、コネクタアダプタ５、光コネクタ３及び光ケーブル１の余長を収容する筺体である。筺体１３にはカバーが被せられるが、図示を省略してある。この実施形態では、アダプタホルダー７は筺体１３の一隅に着脱可能に取り付けられている。コネクタアダプタ５の他端側には光コネクタ３に接続される相手方光コネクタ（図示せず）が挿入されるが、光コネクタ３は相手方光コネクタが接続されるまでの間、待受け状態にある。
【００２７】
ヒンジ結合部１１には、図２に示すように、シャッター９を閉じる方向にバネ力を発生する捻りコイルバネ１５が組み込まれている。ヒンジ結合部１１は、シャッター９と一体に形成されたヒンジ軸部１７と、アダプタホルダー７に形成された前記ヒンジ軸部１７を挿入する軸穴１９と、アダプタホルダー７と一体に形成された前記捻りコイルバネ１５のコイル部１５ａに挿入されるコイル軸部２１とから構成されている。
【００２８】
ヒンジ軸部１７は、シャッター９の下辺に形成された二つの突片２３、２３から外向きに側方へ突出するように形成されている。また軸穴１９は、アダプタホルダー７に前記二つの突片２３、２３の外側に位置するように形成された両側支持片２５に形成されている。またコイル軸部２１は、アダプタホルダー７に前記二つの突片２３、２３の間に位置するように形成された中間支持片２７から側方へ突出するように形成されている。軸穴１９とコイル軸部２１は同一軸線上に形成されている。なお、両側のヒンジ軸部１７を両側の軸穴１９に挿入するときは、まず片側のヒンジ軸部１７を片側の軸穴１９に挿入し（このときはヒンジ軸部１７は斜めになっている）、シャッター９を出来るだけ片側へ寄せておいて、反対側のヒンジ軸部１７を材料の弾性変形を利用して無理やり反対側の軸穴１９に嵌め込むようにする。このとき、反対側のヒンジ軸部１７を反対側の軸穴１９に嵌め込むのを容易にするため、反対側のヒンジ軸部１７の先端部には面取りを施してある（図２（Ｂ）参照）。
【００２９】
なお、ヒンジ軸部１７をアダプタホルダー７と一体に形成し、軸穴１９をシャッター９側に形成することも可能である。また、コイル軸部２１をシャッター９と一体に形成することも可能である。
【００３０】
捻りコイルバネ１５は、そのコイル部１５ａがコイル軸部２１の周りに配置され、一方の端部１５ｂがアダプタホルダー７に係止され、他方の端部１５ｃがシャッター９の外面に係止されて、シャッター９を閉じる方向にバネ力を発生するように捻り付勢されている。図２はシャッター９を閉じた状態、図３はシャッター９を開いた状態を示す。なお、図２（Ｂ）、（Ｃ）に示すように、アダプタホルダー７の軸穴１９の直径はヒンジ軸部１７の直径より大きく、ヒンジ軸部１７と軸穴１９との間にはクリアランスが設けられている（詳細は後述）。
【００３１】
上記のようにシャッター９がヒンジ結合されたアダプタホルダー７は、図４のように筺体１３に取り付けられる。なお、アダプタホルダー７は筺体１３と一体に形成することもできる。
【００３２】
コネクタアダプタ５は、図５に示すように、両端側とも、光コネクタが挿入される空洞の周壁が周方向に連続しており、当該周壁を構成する一つの平面壁の内面に、光コネクタの外面のキーを案内するキー溝２９を形成したものである。つまり、このコネクタアダプタ５は、光コネクタ３の全周を切れ目なく覆い、周壁から内部に塵埃が入り込むのを防止する構造となっている。
【００３３】
一方、シャッター９はコネクタアダプタ５の額縁状端面５ａの全周に当接する額縁状当接部９ａを有している。そして、捻りコイルバネ１５は、そのシャッター側の端部１５ｃが、図２（Ｄ）に示すように、シャッター９の外面の、前記額縁状当接部９ａより内側の部分を押すように形成されている。特に、額縁状当接部９ａの内側に相当する領域の中央部付近（丸印Ｍの部分）を押すように形成されていることが好ましい。なお、シャッター９を閉じた状態で、捻りコイルバネ１５のシャッター側の部分は、端部１５ｃのみがシャッター９の外面に接触し、端部以外の部分はシャッター９に接触せずにシャッター９との間に隙間Ｓを有している。この隙間Ｓを設けることにより、捻りコイルバネ１５の端部１５ｃで、シャッター９の外面の、額縁状当接部９ａより内側の部分（好ましくは中央部付近）のみを確実に押すことができる。
【００３４】
このように、捻りコイルバネ１５の端部１５ｃで、シャッター９の外面の、額縁状当接部９ａより内側の部分を押すと、ヒンジ軸部１７と軸穴１９にクリアランスがあっても、シャッター９の額縁状当接部９ａが、コネクタアダプタ５の額縁状端面５ａの全周に密接するようになる。このため、シャッター９の額縁状当接部９ａと、これに対向する額縁状端面５ａとの間に隙間が発生するおそれがなく、確実な防塵性能を得ることができる。
【００３５】
図６は、ヒンジ軸部１７の直径と、アダプタホルダー７の軸穴１９の直径との関係を示す。まず、アダプタホルダー７の軸穴１９の直径が、ヒンジ軸部１７の直径より大きいことは前述のとおりである。その上で、軸穴１９は、図６（Ａ）に示すように、捻りコイルバネによりシャッター９を閉じたときに、軸穴１９内のヒンジ軸部１７の周り（全周）にクリアランスが残る位置に形成されていることが好ましい。換言すれば、シャッター９を閉じたときに、ヒンジ軸部１７が軸穴１９の内面に接触しないことが好ましい。この状態では、シャッター９はヒンジ軸部１７により移動を制限されないため、捻りコイルバネにより外面中央部付近を押されると、シャッター９の額縁状当接部９ａがコネクタアダプタ５の額縁状端面５ａに全周で確実に密接することになる。
【００３６】
これに対し、図６（Ｂ）又は（Ｃ）のように、捻りコイルバネのバネ力でシャッター９を閉じたときに、ヒンジ軸部１７が軸穴１９の内面で押される状態になると、シャッター９の移動がヒンジ軸部１７によって制限され、シャッター９の額縁状当接部９ａとコネクタアダプタ５の額縁状端面５ａとの間に隙間ができやすくなり、防塵性能が低下するおそれがある。
【００３７】
ところで、シャッター９の内面には、図３に示すように、コネクタアダプタ５の開口内に入る位置決め用凸部３１が形成されている。このような凸部３１を形成しておくと、シャッター９を閉じたときに、凸部３１がコネクタアダプタ５の開口の縁にガイドされて、シャッター９の位置ズレを矯正できる。このため、軸穴とヒンジ軸部とのクリアランスが大きくても、確実な防塵性能を得ることができる。また、コネクタアダプタ５がアダプタホルダー７から上方へ抜け出すのを防止することもできる。
【００３８】
また、図２（Ａ）及び図３に示すように、アダプタホルダー７の端面にはリブ３３が形成され、シャッター９の内面には前記リブ３３が入る溝３５が形成されている。このようにすると、シャッター９の内面とアダプタホルダー７の端面が入り組んだ構造となるため、塵埃がより入り込みにくくなる。
【００３９】
＜実施形態２＞  図７は本発明の他の実施形態を示す。この実施形態が実施形態１と異なる点は、シャッター９が、アダプタホルダー７の端面と、筺体１３のカバー３７の端面とで囲まれる開口を塞ぐように形成されていることと、シャッター９が、前記アダプタホルダー７の端面とカバー３７の端面とで構成される額縁状端面３９の全周に当接する額縁状当接部４１を有していることである。それ以外の構成は実施形態１と同様であるので、同一部分には同一符号を付して説明を省略する。このような構成でも、実施形態１と同等の防塵性能を得ることができる。
【００４０】
＜実施形態３＞  図８は本発明のさらに他の実施形態を示す。この実施形態が実施形態１と異なる点は、捻りコイルバネ１５を支持するコイル軸部２１及び中間支持片２７が、アダプタホルダー７ではなく、筺体１３側に一体に形成されていることである。それ以外の構成は実施形態１と同様であるので、同一部分には同一符号を付して説明を省略する。このような構成でも、実施形態１と同等の防塵性能を得ることができる。
【００４１】
＜実施形態４＞  図９は本発明のさらに他の実施形態を示す。この実施形態が実施形態１と異なる点は、アダプタホルダー７が筺体１３と一体に形成されていることである。それ以外の構成は実施形態１と同様であるので、同一部分には同一符号を付して説明を省略する。このような構成でも、実施形態１と同等の防塵性能を得ることができる。
【００４２】
＜実施形態５＞  図１０（Ａ）は本発明のさらに他の実施形態を示す。この実施形態が実施形態２と異なる点は、アダプタホルダー７が筺体１３と一体に形成されていることと、コネクタアダプタ５として、同図（Ｂ）に示すように、筺体のカバー３７側の壁に、光コネクタの外面のキーを案内する切れ込み４３を形成したものを使用し、この切れ込み４３を筺体のカバー３７で覆うようにしたことである。図１０（Ｂ）に示したコネクタアダプタ５は、従来使用されているものと同じであり、市場性が高いので、安価である。それ以外の構成は実施形態２と同様であるので、同一部分には同一符号を付して説明を省略する。このような構成でも、実施形態２と同等の防塵性能を得ることができる。
【００４３】
なお、図１０（Ｂ）に示す従来タイプのコネクタアダプタ５を使用して、図７に示すようにアダプタホルダー７と筺体１３を別に形成することも可能である。
【図面の簡単な説明】
【００４４】
【図１】本発明に係る光コネクタ防塵用シャッター装置の一実施形態を示す平面図。
【図２】図１の装置の要部を示す、（Ａ）は平面図、（Ｂ）は一部切開正面図、（Ｃ）は側面図、（Ｄ）は断面図。
【図３】図１の装置の要部を示す斜視図。
【図４】図１の装置の、コネクタアダプタを組み込む前の状態を示す斜視図。
【図５】図１の装置に用いたコネクタアダプタを示す斜視図。
【図６】図１の装置におけるヒンジ軸部と軸穴の関係の、（Ａ）は好ましい状態を、（Ｂ）、（Ｃ）は好ましくない状態を示す断面図。
【図７】本発明に係る光コネクタ防塵用シャッター装置の他の実施形態を示す、（Ａ）は断面図、（Ｂ）はシャッターを透視した正面図。
【図８】本発明に係る光コネクタ防塵用シャッター装置のさらに他の実施形態を示す断面図。
【図９】本発明に係る光コネクタ防塵用シャッター装置のさらに他の実施形態を示す分解斜視図。
【図１０】（Ａ）は本発明に係る光コネクタ防塵用シャッター装置のさらに他の実施形態を示す断面図、（Ｂ）は（Ａ）の装置に用いたコネクタアダプタの斜視図。
【符号の説明】
【００４５】
１：光ケーブル
３：待受け側の光コネクタ
５：コネクタアダプタ
５ａ：額縁状端面
７：アダプタホルダー
９：シャッター
９ａ：額縁状当接部
１３：筺体
１５：捻りコイルバネ
１７：ヒンジ軸部
１９：軸穴
２１：コイル軸部
２９：キー溝
３１：位置決め用凸部
３３：リブ
３５：溝
３７：カバー
３９：額縁状端面
４１：額縁状当接部
４３：切れ込み
【図１】
0004841514.tif 000002
【図２】
0004841514.tif 000003
【図３】
0004841514.tif 000004
【図４】
0004841514.tif 000005
【図５】
0004841514.tif 000006
【図６】
0004841514.tif 000007
【図７】
0004841514.tif 000008
【図８】
0004841514.tif 000009
【図９】
0004841514.tif 000010
【図１０】
0004841514.tif 000011